(57)【要約】【課題】貯留タンク内の余剰の電解生成酸性水を中和処理する中和処理装置を一側に備える電解生成水の貯留装置をコンパクトに構成し、かつ、中和処理装置における中和処理能を向上させる。【解決手段】電解生成酸性水を貯留する貯留タンク１０ａと、貯留タンク１０ａから導出される電解生成酸性水を導入して中和処理する中和処理装置２０を備え、貯留タンク１０ａに貯留されている電解生成酸性水を所定の場所に供給可能に構成してなる貯留装置である。中和処理装置２０は、貯留タンク１０ａの左右一側の下方側に並列配置されて、貯留タンク１０ａとはその余剰の電解生成酸性水を導出するオーバフロー流路を介して連結されていて、オーバフロー流路を構成する導入パイプ２２の先端部位２２ａは中和処理装置２０内の前記中和剤の下方にて水平状態に延在している。【選択図】    図３
2005066589.tif 000002
【特許請求の範囲】
【請求項１】
電解生成酸性水の流入口および流出口を有する貯留タンクと、同貯留タンクから導出される電解生成酸性水を導入して中和処理する中和剤を内蔵する中和処理装置を備え、前記貯留タンクに貯留されている電解生成酸性水を所定の場所に供給可能に構成してなる電解生成水の貯留装置であり、前記中和処理装置は前記貯留タンクの左右の一側における下方側に並列配置されて、前記貯留タンクとは同貯留タンク内の余剰の電解生成酸性水を導出するオーバフロー流路を介して連結されていて、同オーバフロー流路を構成する導入パイプの先端部位は前記中和処理装置内の前記中和剤の下方にて水平状態に延在していることを特徴とする電解生成水の貯留装置。
【請求項２】
電解生成酸性水の流入口および流出口を有する貯留タンクと、同貯留タンクから導出される電解生成酸性水を導入して中和処理する中和剤を内蔵する中和処理装置と、前記貯留タンク内の上方空間部に連通し同上方空間部に滞留する塩素成分を含有するガスを導入して塩素成分を除去する塩素成分除去剤を内蔵する塩素成分除去装置を備え、前記貯留タンクに貯留されている電解生成酸性水を所定の場所に供給可能に構成してなる電解生成水の貯留装置であり、前記中和処理装置は前記貯留タンクの左右の一側における下方側に並列配置されて前記貯留タンクとは同貯留タンク内の余剰の電解生成酸性水を導出するオーバフロー流路を介して連結されていて、同オーバフロー流路を構成する導入パイプの先端部位は前記中和処理装置内の前記中和剤の下方にて水平状態に延在し、前記塩素除去装置は前記貯留タンク内の上方空間部に連通していることを特徴とする電解生成水の貯留装置。
【請求項３】
電解生成酸性水の流入口および流出口を有する第１の貯留タンクと、電解生成アルカリ性水の流入口および流出口を有する第２の貯留タンクと、前記第１の貯留タンクから導出される電解生成酸性水を導入して中和処理する中和剤を内蔵する中和処理装置と、前記第１の貯留タンク内の上方空間部に連通し同上方空間部に滞留する塩素成分を含有するガスを導入して塩素成分を除去する塩素成分除去剤を内蔵する塩素除去装置を備え、前記第１の貯留タンクに貯留されている電解生成酸性水、および、前記第２の貯留タンクに貯留されている電解生成アルカリ性水をそれぞれ所定の場所に供給可能に構成してなる電解生成水の貯留装置であり、前記両貯留タンクは所定間隔を保持して互いに左右に並列配置され、前記中和処理装置はこれら両貯留タンク間における下方側に配置されて前記第１の貯留タンクとは同貯留タンク内の余剰の電解生成酸性水を導出するオーバフロー流路を介して連結されていて、同オーバフロー流路を構成する導入パイプの先端部位は前記中和処理装置内の前記中和剤の下方にて水平状態に延在し、前記塩素除去装置はこれら両貯留タンク間における前記中和処理装置の上方側に配置されていて、同塩素除去装置は前記第１の貯留タンク内の上方空間部に連通していることを特徴とする電解生成水の貯留装置。
【請求項４】
請求項１〜３のいずれか一項に記載の貯留装置において、前記オーバフロー流路を構成する導入パイプにおける前記中和処理装置内の中和剤の下方にて水平状態に延在する部位には、下流側から上流側に沿って複数の流出口を備えていることを特徴とする電解生成水の貯留装置。
【請求項５】
請求項４に記載の貯留装置において、前記オーバフロー流路を構成する導入パイプにおける前記中和処理装置内の中和剤の下方にて水平状態に延在する部位の各流出口は、上流側から下流側に位置する流出口ほど大きく形成されていることを特徴とする電解生成水の貯留装置。
【請求項６】
請求項１〜５のいずれか一項に記載の貯留装置において、前記中和処理装置は、内蔵する中和剤を外部から目視可能に構成されていることを特徴とする電解生成水の貯留装置。
【請求項７】
請求項６に記載の貯留装置において、前記中和処理装置は、内蔵する中和剤を外部から目視可能な部位または同部位に近接する部位に、内蔵する中和剤の上限位置および下限位置を視認できる上下一対の目盛りを備えていることを特徴とする電解生成水の貯留装置。
【請求項８】
請求項１〜７のいずれか一項に記載の貯留装置において、前記中和処理装置は、中和剤を内部に供給するための供給口を備え、前記貯留タンク側に配置されている状態で中和剤を前記供給口を通して内部に投入可能に構成されていることを特徴とする電解生成水の貯留装置。
【請求項９】
請求項８に記載の貯留装置において、前記中和処理装置が有する供給口は受け口状に構成されていることを特徴とする電解生成水の貯留装置。
【請求項１０】
請求項１〜９のいずれか一項に記載の貯留装置において、前記中和処理装置が有する中和処理済み水の排出パイプは同中和処理装置内の中和剤の上限位置より上方の部位に開口していて、前記貯留タンクの一側における下方の部位に設けた略Ｖ字形状のガイド部に案内されて排出側に延びていることを特徴とする電解生成水の貯留装置。
【請求項１１】
請求項１０に記載の電解生成水の貯留装置において、前記中和処理装置が有する供給口は前記排水パイプが開口する壁部に対向する側の壁部にて同排水パイプの開口部より上方に位置し、同排水パイプの開口部と前記供給口との間には、同供給口から投入される中和剤の前記排水パイプの開口部への侵入を規制する壁部が介在していることを特徴とする電解生成水の貯留装置。
【請求項１２】
請求項１０に記載の電解生成水の貯留装置において、前記中和処理装置が有する供給口は前記排水パイプが開口する壁部に対向する側の壁部にて同排水パイプの開口部より上方に位置し、同排水パイプの開口部と前記供給口との間には、貯留タンク内の余剰の電解生成酸性水を導出するオーバフロー流路を構成する第２の導入パイプが前記排水パイプの開口部と前記供給口に対向して介在していることを特徴とする電解生成水の貯留装置。
【請求項１３】
請求項１０に記載の電解生成水の貯留装置において、前記中和処理装置が有する供給口は前記排水パイプが開口する壁部に対向する側の壁部にて同排水パイプの開口部より上方に位置し、同排水パイプの開口部と前記供給口との間には、同供給口から投入される中和剤の前記排水パイプの開口部への侵入を規制する壁部が介在し、かつ、貯留タンク内の余剰の電解生成酸性水を導出するオーバフロー流路を構成する第２の導入パイプが前記排水パイプの開口部と前記供給口に対向して介在していることを特徴とする電解生成水の貯留装置。
【発明の詳細な説明】
【技術分野】
【０００１】
本発明は、電解生成水の貯留装置に関する。
【背景技術】
【０００２】
電解生成水の使用態様して、電解水生成装置で生成された電解生成水を直接使用する態様と、電解水生成装置で生成された電解生成水を一旦貯留タンクに貯留し、必要時に、当該貯留タンクに貯留されている電解生成水を当該貯留タンクから流出して使用する態様とがある。後者の使用態様を採る場合には、当該貯留タンクを備えた電解生成水の貯留装置が使用される。当該貯留装置においては、貯留タンク内には、電解水生成装置の電解運転によって電解生成水が順次供給されるが、貯留タンクの容量は所定量に規定されていることから、順次供給されることによって余剰となった電解生成水は、オーバフローパイプ等を介して貯留タンクから導出されて排出されることになる。すなわち、貯留タンク内の余剰の電解生成水は、順次排水されることになる。
【０００３】
この場合、余剰の電解生成水が特に酸性水（電解生成酸性水）であるときには、これを中和処理して略中性の水として排水する必要がある。電解水生成装置で生成される電解生成酸性水を排水時に中和処理する手段としては、使用済みの電解生成酸性水を、中和剤が収容されている中和処理槽に導入し、当該中和処理槽内で中和処理して排水する手段が提案されている（特許文献１を参照）。
【０００４】
しかしながら、電解水生成装置とは独立して配置される形式の電解生成水の貯留装置にあっては、中和処理槽等の中和処理手段を一体に備える形式の貯留装置は未だ提案されていない。電解生成水の貯留装置が大型であって、配置スペースに大きな制約がない装置にあっては、中和処理装置の一体化は容易に考えられる。しかしながら、厨房のシンク下に配置される貯留装置等、配置スペースに大きな制約を受ける小型の電解生成水の貯留装置にあっては、中和処理槽等の中和処理手段を一体に備える貯留装置をコンパクトに構成することは難しい。
【特許文献１】特開平１０−０００４８０号公報
【発明の開示】
【発明が解決しようとする課題】
【０００５】
本発明は、このような実状に鑑みなされたもので、その主たる目的は、中和処理装置を一体に備える貯留装置をコンパクトに構成して既存の配置スペースに十分に配置し得るようにすること、および、貯留装置をコンパクトに構成しても中和処理装置が十分な中和処理能力を具備しているようにすることにある。
【課題を解決するための手段】
【０００６】
本発明は、電解生成水の貯留装置に関する。本発明に係る電解生成水の第１の貯留装置は、電解生成酸性水の流入口および流出口を有する貯留タンクと、同貯留タンクから導出される電解生成酸性水を導入して中和処理する中和剤を内蔵する中和処理装置を備え、前記貯留タンクに貯留されている電解生成酸性水を所定の場所に供給可能に構成してなる電解生成水の貯留装置である。
【０００７】
しかして、当該貯留装置においては、前記中和処理装置は前記貯留タンクの左右の一側における下方側に並列配置されて、前記貯留タンクとは同貯留タンク内の余剰の電解生成酸性水を導出するオーバフロー流路を介して連結されていて、同オーバフロー流路を構成する導入パイプの先端部位は前記中和処理装置内の前記中和剤の下方にて水平状態に延在していることを特徴とするものである。
【０００８】
また、本発明に係る電解生成水の第２の貯留装置は、電解生成酸性水の流入口および流出口を有する貯留タンクと、同貯留タンクから導出される電解生成酸性水を導入して中和処理する中和剤を内蔵する中和処理装置と、前記貯留タンク内の上方空間部に連通し同上方空間部に滞留する塩素成分を含有するガスを導入して塩素成分を除去する塩素成分除去剤を内蔵する塩素成分除去装置を備え、前記貯留タンクに貯留されている電解生成酸性水を所定の場所に供給可能に構成してなる電解生成水の貯留装置である。
【０００９】
しかして、当該貯留装置においては、前記中和処理装置は前記貯留タンクの左右の一側における下方側に並列配置されて前記貯留タンクとは同貯留タンク内の余剰の電解生成酸性水を導出するオーバフロー流路を介して連結されていて、同オーバフロー流路を構成する導入パイプの先端部位は前記中和処理装置内の前記中和剤の下方にて水平状態に延在し、前記塩素除去装置は前記貯留タンク内の上方空間部に連通していることを特徴とするものである。
【００１０】
また、本発明に係る電解生成水の第３の貯留装置においては、電解生成酸性水の流入口および流出口を有する第１の貯留タンクと、電解生成アルカリ性水の流入口および流出口を有する第２の貯留タンクと、前記第１の貯留タンクから導出される電解生成酸性水を導入して中和処理する中和剤を内蔵する中和処理装置と、前記第１の貯留タンク内の上方空間部に連通し同上方空間部に滞留する塩素成分を含有するガスを導入して塩素成分を除去する塩素成分除去剤を内蔵する塩素除去装置を備え、前記第１の貯留タンクに貯留されている電解生成酸性水、および、前記第２の貯留タンクに貯留されている電解生成アルカリ性水をそれぞれ所定の場所に供給可能に構成してなる電解生成水の貯留装置である。
【００１１】
しかして、当該貯留装置においては、前記両貯留タンクは所定間隔を保持して互いに左右に並列配置され、前記中和処理装置はこれら両貯留タンク間における下方側に配置されて前記第１の貯留タンクとは同貯留タンク内の余剰の電解生成酸性水を導出するオーバフロー流路を介して連結されていて、同オーバフロー流路を構成する導入パイプの先端部位は前記中和処理装置内の前記中和剤の下方にて水平状態に延在し、前記塩素除去装置はこれら両貯留タンク間における前記中和処理装置の上方側に配置されていて、同塩素除去装置は前記第１の貯留タンク内の上方空間部に連通していることを特徴とするものである。
【００１２】
本発明に係る各貯留装置においては、前記オーバフロー流路を構成する導入パイプにおける前記中和処理装置内の中和剤の下方にて水平状態に延在する部位には、下流側から上流側に沿って複数の流出口を備える構成とすることができる。この場合、各流出口の大きさを、上流側から下流側に位置する流出口ほど大きく形成することが好ましい。
【００１３】
また、本発明に係る各貯留装置においては、前記中和処理装置を、内蔵する中和剤が外部から目視可能な構成とすることができる。この場合、内蔵する中和剤を外部から目視可能な部位または同部位に近接する部位に、内蔵する中和剤の上限位置および下限位置を視認できる上下一対の目盛りを備える構成とすることが好ましい。
【００１４】
また、本発明に係る各貯留装置においては、前記中和処理装置を、中和剤を内部に供給するための供給口を備える構成として、前記貯留タンク側に配置されている状態で中和剤を前記供給口を通して内部に投入可能に構成することができる。この場合、供給口を受け口状に構成することが好ましい。
【００１５】
また、本発明に係る各貯留装置においては、前記中和処理装置が有する中和処理済み水の排出パイプを同中和処理装置内の中和剤の上限位置より上方の部位に開口させて、前記貯留タンクの一側における下方の部位に設けた略Ｖ字形状のガイド部に案内されて排出側に延びる構成とすることができる。
【００１６】
また、本発明に係る各貯留装置においては、前記中和処理装置を、中和剤を内部に供給するための供給口を備える構成として、前記貯留タンク側に配置されている状態で中和剤を前記供給口を通して内部に投入可能に構成した場合には、前記供給口を前記排水パイプが開口する壁部に対向する側の壁部にて同排水パイプの開口部より上方に位置させる構成として、同排水パイプの開口部と前記供給口との間に、同供給口から投入される中和剤の前記排水パイプの開口部への侵入を規制する壁部を介在させるようにすることができ、または、前記排水パイプの開口部と前記供給口との間に、前記貯留タンク内の余剰の電解生成酸性水を導出するオーバフロー流路を構成する第２の導入パイプを、前記排水パイプの開口部と前記供給口に対向して介在させるようにすることができる。
【００１７】
また、本発明に係る各貯留装置においては、前記中和処理装置を、中和剤を内部に供給するための供給口を備える構成として、前記貯留タンク側に配置されている状態で中和剤を前記供給口を通して内部に投入可能に構成した場合には、前記供給口を前記排水パイプが開口する壁部に対向する側の壁部にて同排水パイプの開口部より上方に位置させる構成として、同排水パイプの開口部と前記供給口との間に、同供給口から投入される中和剤の前記排水パイプの開口部への侵入を規制する壁部を介在させ、かつ、前記排水パイプの開口部と前記供給口との間に、前記貯留タンク内の余剰の電解生成酸性水を導出するオーバフロー流路を構成する第２の導入パイプを、前記排水パイプの開口部と前記供給口に対向して介在させるようにすることができる。
【発明の効果】
【００１８】
本発明に係る電解生成水の各貯留装置においては、中和処理装置を貯留タンクの一側に並列配置して、貯留タンクとは、貯留タンク内の余剰の電解生成水を導出するオーバフロー流路を介して直接連結する構成を採っている。このため、中和処理装置を貯留タンクに連通させる連結構造が簡単かつ小型でよく、結果として、中和処理装置を貯留タンクにコンパクトに一体化することができる。
【００１９】
また、当該一体化構造においては、オーバフロー流路を構成する導入パイプの先端部位が中和処理装置内の中和剤の下方にて水平状態に延在していることから、導入される電解生成水の中和処理装置内への流出を、中和剤の下方にて拡開した状態に行うことができる。電解生成水のかかる流出状態は、電解生成水の中和剤に対する接触効率を高めて、中和処理装置における中和処理能力を向上させることができる。このため、所要の中和処理能力を有する中和処理装置をコンパクトに構成することができ、コンパクトな中和処理装置を採用することにより、中和処理装置を貯留タンクにコンパクトに一体化することができて、一層コンパクトな貯留装置を構成することができる。
【００２０】
本発明に係る電解生成水の第１の貯留装置は、貯留タンクと中和処理装置の２者を一体化した貯留装置であるが、本発明に係る電解生成水の第２の貯留装置は、貯留タンクと中和処理装置と塩素成分除去装置の３者を一体化した貯留装置であり、また、本発明に係る電解生成水の第３の貯留装置は、一対の貯留タンクと中和処理装置と塩素成分除去装置の４者を一体化した貯留装置である。これらの第２の貯留装置および第３の貯留装置においても、貯留タンクと中和処理装置の２者の一体化手段には、第１の貯留装置と同一の一体化手段を採っていることから、貯留装置は基本的にはコンパクトなものとなる。
【００２１】
その上、これらの第２の貯留装置および第３の貯留装置においては、塩素成分除去装置を、当該貯留装置にとっては無用な空間部である中和処理装置の上方側にて貯留タンクの一側に並列配置して、塩素成分除去装置の貯留タンク側に対する連結構造をコンパクトに構成している。このため、第２の貯留装置においては、貯留タンクと中和処理装置と塩素成分除去装置の３者の一体化をコンパクトにすることができ、また、第３の貯留装置においては、一対の貯留タンクと中和処理装置と塩素成分除去装置の４者の一体化をコンパクトにすることができる。
【００２２】
本発明に係る各貯留装置において、前記オーバフロー流路を構成する導入パイプにおける中和処理装置内の中和剤の下方にて水平状態に延在する部位に、下流側から上流側に沿って複数の流出口を備える構成とすれば、導入される電解生成酸性水の中和剤の下方でに流出状態を大きく拡開する状態に流出することができて、電解生成酸性水の中和剤に対する接触効率を一層高めることができる。この場合には、各流出口の大きさを上流側から下流側に位置する流出口ほど大きく形成することが好ましく、これにより、各流出口からの電解生成酸性水の流出量をほぼ均等にすることができる。
【００２３】
また、本発明に係る各貯留装置において、前記中和処理装置を、内蔵する中和剤が外部から目視可能な構成とすれば、中和剤の消費量を外部から容易に確認することができて、中和剤の補給のタイミングを的確に認識することができる。この場合、内蔵する中和剤を外部から目視可能な部位または同部位に近接する部位に、内蔵する中和剤の上限位置および下限位置を視認できる上下一対の目盛りを備える構成とすることが好ましく、これにより、中和剤の補給のタイミングを的確に認識し、かつ、的確な量の中和剤を補給することができる。
【００２４】
また、本発明に係る各貯留装置において、前記中和処理装置を、中和剤を内部に供給するための供給口を備える構成として、貯留タンク側に配置されている状態で中和剤を供給口を通して内部に投入可能に構成すれば、中和剤の補給が極めて容易になる。この場合、供給口を受け口状に構成することが好ましく、これにより、中和剤の当該供給口からの投入が一層容易になる。また、この場合、中和処理装置の上記した構成を併せて採用すれば、中和剤の補給のタイミングを的確に認識し、的確な量の中和剤を補給を、一層容易に行うことができる。
【００２５】
また、本発明に係る各貯留装置において、前記中和処理装置が有する中和処理済み水の排出パイプを同中和処理装置内の中和剤の上限位置より上方の部位に開口させて、貯留タンクの一側における下方の部位に設けた略Ｖ字形状のガイド部に案内されて排出側に延びる構成とすることができる。かかる構成を採れば、中和処理装置の排出パイプにおける貯留タンクの一側に沿う部位を、Ｖ形状に延びるトラップ構造に構成することができる。当該トラップ構造を構成するための空間部は、貯留タンクの一側の限られた空間部であって、当該トラップ構造を構成することによって、当該貯留装置のコンパクト化に及ぼす影響を大きく抑制することができる。
【００２６】
また、本発明に係る各貯留装置において、前記中和処理装置を、中和剤を内部に供給するための供給口を備える構成として、前記貯留タンク側に配置されている状態で中和剤を前記供給口を通して内部に投入可能に構成した場合には、前記供給口を前記排水パイプが開口する壁部に対向する側の壁部にて同排水パイプの開口部より上方に位置させる構成として、同排水パイプの開口部と前記供給口との間に壁部を介在させ、および／または、前記排水パイプの開口部と前記供給口との間に前記貯留タンク内の余剰の電解生成酸性水を導出するオーバフロー流路を構成する第２の導入パイプを介在させるようにする。これにより、前記供給口から投入される中和剤の前記排水パイプの開口部への直接の侵入を規制して、中和剤が同排水パイプを通して直接流出することに起因する無駄な消費を防止することができる。
【発明を実施するための最良の形態】
【００２７】
本発明は、電解生成水の貯留装置に関するものであり、図１〜図３には、本発明に係る電解生成水の第３の貯留装置における一実施形態を示している。当該貯留装置Ａは、第１貯留タンク１０ａ、第２貯留タンク１０ｂ、中和処理装置２０、および、一対の塩素成分除去装置３０ａ，３０ｂを主要構成部品とするものであり、これらの構成部品１０ａ，１０ｂ，２０，３０ａ，３０ｂは、図１に示す連結構造を採って互いに連結されている。当該貯留装置Ａは、かかる連結構造を採って、図２に示すように、互いに一体的に配置されている。当該貯留装置Ａは、電解水生成装置Ｂに連結された状態で、シンクの下方空間部Ｃに設置されている。
【００２８】
当該貯留装置Ａは、図２に示すように、正面に向かって左側に第１貯留タンク１０ａが配置され、かつ、右側に所定の間隔を保持して第２貯留タンク１０ｂが配置されている。中和処理装置２０は、これらの両貯留タンク１０ａ，１０ｂ間に配置され、かつ、両塩素成分除去装置３０ａ，３０ｂは、これらの両貯留タンク１０ａ，１０ｂ間にて中和処理装置２０の上方側に配置されている。なお、両塩素成分除去装置３０ａ，３０ｂは一体に形成されているもので、互いにケースを共用している構成となっている。これらの各構成部品１０ａ，１０ｂ，２０，３０ａ，３０ｂの背面側は、カバー４１にて覆蓋されている。当該貯留装置Ａにおいては、第１貯留タンク１０ａが電解生成酸性水を貯留する専用のタンクに構成され、かつ、第２貯留タンク１０ｂが電解生成アルカリ性水を貯留する専用のタンクに構成されている。これら各貯留タンク１０ａ，１０ｂの流入口は、カバー４１の一側に取付けた切替弁４２の各流出ポート４２ａ，４２ｂに、供給パイプ４３を介して連結されている。但し、図３には、第１貯留タンク１０ａおよびこれに連結するパイプ４３のみを示している。
【００２９】
当該電解水生成装置Ｂは、被電解水である希薄食塩水を有隔膜電解して、電解槽ｂ1の陽極側電解室にて酸性水（電解生成酸性水）を生成し、電解槽ｂ1の陰極側電解室にてアルカリ性水（電解生成アルカリ性水）を生成すべく機能する。電解槽ｂ1の各電解室は、各流出パイプｂ2を介して、切替弁４２の各流入ポートに連結している。
【００３０】
当該貯留装置Ａにおいて、第１貯留タンク１０ａが電解生成酸性水の専用の貯留タンクに、かつ、第２貯留タンク１０ｂが電解生成アルカリ性水の専用の貯留タンクに設定されている場合には、電解槽ｂ1の陽極側電解室で生成される電解生成酸性水は切替弁４２を通して第１貯留タンク１０ａに供給され、かつ、電解槽ｂ1の陰極側電解室で生成される電解生成アルカリ性水は切替弁４２を通して第２貯留タンク１０ｂ内に供給される。
【００３１】
但し、当該電解槽ｂ1は、両電解室の極性が定期的に反転される構成ものであり、このため、各貯留タンク１０ａ，１０ｂの電解槽ｂ1の各電解室に対する連結状態は、切替弁４２を介して、電解槽ｂ1における両電解室の極性の反転に対応して切替えられる。これにより、電解槽ｂ1にて生成される電解生成酸性水は、常に第１貯留タンク１０ａに供給され、かつ、電解槽ｂ1にて生成される電解生成アルカリ性水は、常に第２貯留タンク１０ｂに供給されるようになっている。
【００３２】
また、当該電解水生成装置Ｂにおいては、両電解室の極性の定期的な反転に関わることなく切替弁４２を切替動作できるように構成されていて、必要時には、切替弁４２を切替動作させることにより、当該貯留装置Ａにおける第１貯留タンク１０ａを電解生成アルカリ性水の専用の貯留タンクに、かつ、第２貯留タンク１０ｂを電解生成酸性水の専用の貯留タンクにそれぞれ変更することができる。この場合には、電解槽ｂ1の陽極側電解室で生成される電解生成酸性水は切替弁４２を通して第２貯留タンク１０ｂに供給され、かつ、電解槽ｂ1の陰極側電解室で生成される電解生成アルカリ性水は切替弁４２を通して第１貯留タンク１０ａ内に供給される。
【００３３】
従って、当該電解水生成装置Ｂの電解運転時には、電解槽ｂ1で生成される電解生成酸性水は、切替弁４２を介して、第１貯留タンク１０ａおよび第２貯留タンク１０ｂに選択的に供給され、かつ、電解槽ｂ1で生成される電解生成アルカリ性水は、切替弁４２を介して、第２貯留タンク１０ｂおよび第１貯留タンク１０ａに選択的に供給される。第１貯留タンク１０ａに一旦貯留された電解生成水（電解生成酸性水または電解生成アルカリ性水）は、必要時には、後述する抽出管路１２を通して流出させて使用される。また、第２貯留タンク１０ｂに一旦貯留された電解生成水（電解生成アルカリ性水または電解生成酸性水）は、必要時には、後述する抽出管路１５を通して流出させて使用される。なお、当該電解水生成装置Ｂの電解運転、および、当該貯留装置Ａに対する電解生成水の貯留および流出は、図示しないコントローラにて制御される。
【００３４】
当該貯留装置Ａにおいては、両貯留タンク１０ａ，１０ｂは互いに独立した状態にあり、第１貯留タンク１０ａは中和処理装置２０および塩素成分除去装置３０ａに連結され、第２貯留タンク１０ｂは中和処理装置２０および塩素成分除去装置３０ｂに連結されている。第１貯留タンク１０ａにおいては、タンク本体１１に連結されている供給管路１２の途中に供給ポンプ１３が介装されていて、必要時に供給ポンプ１３を駆動することにより、第１貯留タンク１０ａ内に貯留されている電解生成水を流出させて使用に供される。また、第２貯留タンク１０ｂにおいては、タンク本体１４に連結されている供給管路１５の途中に供給ポンプ１６が介装されていて、必要時に供給ポンプ１６を駆動することにより、第２貯留タンク１０ｂ内に貯留されている電解生成水を流出させて使用に供される。
【００３５】
第１貯留タンク１０ａは、図４に示すように、所定の容量を有する長方形の箱状のタンク本体１１を主体とするもので、タンク本体１１には、その右側壁部における上方部位の後端部に供給孔１１ａを備え、かつ、同右側壁部における上方部位の中間部に流出孔１１ｂを備えている。供給孔１１ａは、電解生成水をタンク本体１１内に供給すべく機能するもので、切替弁４２の第１流出ポート４２ａに連結されている連結パイプ４３が連結される。また、流出孔１１ｂは、タンク本体１１内の余剰の電解生成水を流出すべく機能するもので、後述するオーバフロー流路を構成する連結機構部２０ａに連結される。第１貯留タンク１０ａにおいては、タンク本体１１の前側壁部における下方の部位に、タンク本体１１内に貯留されている電解生成水を底部から抜き出すドレン孔１１ｃを備えるとともに、タンク本体１１の後側壁部における下方の部位に、図示しない流出孔を備えている。同流出孔には、供給管路１２の先端が連結されている。
【００３６】
第１貯留タンク１０ａにおいては、図３および図４に示すように、タンク本体１１の右側の後側部位が長方形状に膨出する膨出部位１１ｄに形成されていて、膨出部位１１ｄの前側に後述する中和処理装置２０を配置する空間部を確保している。第１貯留タンク１０ａにおける膨出部位１１ｄの下端部は、略Ｖ字形状に膨出する形状を呈していて、膨出部位１１ｄの下端部が後述する中和処理装置２０が有する排水パイプ２３のガイド部１１ｅに形成されている。
【００３７】
第２貯留タンク１０ｂは、第１貯留タンク１０ａとは左右対称の類似構造のもので、タンク本体１４の右側壁部に、第１貯留装置１０ａのケース本体１１が有する供給孔１１ａおよび流出孔１１ｂに相当する供給孔および流出孔を備えている。当該流出孔は、タンク本体１４内の余剰の電解生成水を流出すべく機能するもので、当該流出孔には、後述するオーバフロー流路を構成する連結機構部２０ａに連結される。また、タンク本体１４の前側壁部における下方の部位に、タンク本体１４内に貯留されている電解生成水を底部から抜き出すドレン孔１４ａを備えるとともに、タンク本体１４の後側壁部における下方の部位に、供給管路１５の先端が連結される流出孔を備えている。
【００３８】
第２貯留タンク１０ｂにおいても、第１貯留タンク１０ａと同様に、タンク本体１４の左側の後側部位が長方形状に膨出する膨出部位に形成されていて、当該膨出部位の前側に後述する中和処理装置２０を配置する空間部を確保している。第２貯留タンク１０ｂにおける膨出部位の下端部も、略Ｖ字形状に膨出する形状を呈していて、当該膨出部位の下端部が後述する中和処理装置２０が有する排水パイプ２３のＶ形状のガイド部に形成されている。
【００３９】
中和処理装置２０は、図２、図３および図５に示すように、側面が略長八角形の所定幅の箱状のケース本体２１と、ケース本体２１の後側壁部の下方の部位を貫通してケース本体２１内に延びる導入パイプ２２と、ケース本体２１の後側壁部の中央部位に取付けられて後方へ延びる排水パイプ２３と、ケース２１の上方後部に設けた肩部に配設した連結機構部２０ａを備えている。連結機構部２０ａは、第１貯留タンク１０ａからの余剰の電解生成水を中和処理装置２０へ導入するオーバフロー流路を形成すべく機能するとともに、第１貯留タンク１０ａ内で発生する滞留ガスを塩素成分除去装置３０ａへ導入する導入路を形成するべく機能する。
【００４０】
また、連結機構部２０ａは、第２貯留タンク１０ｂからの余剰の電解生成水を中和処理装置２０へ導入するオーバフロー流路を形成すべく機能するとともに、第２貯留タンク１０ｂ内で発生する滞留ガスを塩素成分除去装置３０ｂへ導入する導入路を形成するべく機能する。当該連結機構部２０ａが、各貯留タンク１０ａ，１０ｂの中和処理装置２０および塩素成分除去装置３０ａ，３０ｂに対する連結構造を同一の連結構造としている理由は、両貯留タンク１０ａ，１０ｂの専用使用態様の設定変更に対処するためである。
【００４１】
当該連結機構部２０ａは、長方形状で密閉状のケース２４と、ケース２４の底壁部の略中央部位を貫通する第１連通パイプ２５と、ケース２４の上壁部の前側部位を貫通する連結具２６と、ケース２４の底壁部の後側部位を貫通する第２連通パイプ２７によって構成されている。第２連通パイプ２７は、第１連通パイプ２５に比較して短尺に形成されている。連結具２６は、横方向に延びる第１連結管部２６ａと、第１連結管部２６ａから並列して下方に延びてケース２４内の底部に臨む一対の第２連結管部２６ｂと、第１連結管部２６ａから並列して後方へ延びる一対の第３連結管部２６ｃを備えている。
【００４２】
当該連結機構部２０ａにおいては、第１連結管部２６ａはその長手方向の各端部にて開口している円筒体であるが、その長手方向の中央部にて区画壁２６ｄにて区画されている。各第２連結管部２６ｂおよび各第３連結管部２６ｃは、第１連結管部２６ａに対しては、区画壁２６ｄを挟んで互い左右に位置していて、両第２連結管部２６ｂ間の連通状態は遮断され、かつ、両第３連結管部２６ｃ間の連通状態は遮断されている。
【００４３】
当該連結機構部２０ａにおいては、第１連結管部２６ａの左右の各開口端部が各貯留タンク１０ａ，１０ｂの流出孔１１ｂに直接連結され、各第３連結管部２６ｃにて、後述する塩素成分除去装置３０ａ，３０ｂの各接続孔３１ｃに導入パイプを介して連結されている。また、当該連結機構部２０ａにおいては、ケース２１の底壁部の後側部位を貫通して位置する第２連通パイプ２７の下端部に導入パイプ２２の上端部が連結されている。ケース２１の底壁部の略中央部位を貫通して位置する第１連通パイプ２５は、ケース２４内では、第２連通パイプ２７より所定高さ上方まで延びている。
【００４４】
これにより、当該連結機構部２０ａは導入パイプ２２とともに、各貯留タンク１０ａ，１０ｂの流出孔１１ｂから流出してケース２４内に一旦滞留する余剰の電解生成水を、中和処理装置２０内に導入するオーバフロー流路を形成する。また、当該連結機構部２０ａは、各貯留タンク１０ａ，１０ｂ内の上方部位に滞留する滞留ガスを各塩素成分除去装置３０ａ，３０ｂへ導入する導入流路を形成する。
【００４５】
当該中和処理装置２０においては、オーバフロー流路を形成する導入パイプ２２は、ケース本体２１の後側壁部の下端部を貫通してケース本体２１内に臨んでいるもので、導入パイプ２２の先端部位２２ａは、ケース本体２１内の底部に沿って水平状態に延在している。換言すれば、導入パイプ２２の先端部位２２ａは、内蔵する中和剤の下方にて水平状態に延在している。
【００４６】
導入パイプ２２の先端部位２２ａには、その下流側から上流側に沿って複数の流出口２２ｂ1〜２２ｂ3が形成されている。各流出口２２ｂ1〜２２ｂ3は、上流側から下流側に位置する流出口ほど大きく形成されている。また、当該中和処理装置２０の排水パイプ２３は、ケース本体２１の後側壁部の上下方向の中間部に連結された状態でケース本体２１内に開口して、ケース本体２１に対する連結部から下方に延び、次いで第１貯留タンク１０ａの膨出部１１ｄの下端部であるガイド部１１ｅに沿って略Ｖ字状に延び、その後水平状態に延びて排水溝部に達している。当該排水パイプ２３においては、第１貯留タンク１０ａの膨出部１１ｄにおけるガイド部１１ｅにてトラップ構造を形成している。
【００４７】
当該中和処理装置２０におけるケース本体２１は、半透明の合成樹脂を材料として成形されているものであり、前壁部における上方傾斜部には中和剤を投入するための供給口２１ａを備え、かつ、前壁部における中央垂直部には上下一対の突条の目盛り２１ｂ，２１ｃを備えている。また、ケース本体２１の前壁部における下方の部位には、ケース本体２１内の中和処理済み水を底部から抜き出すドレン孔２１ｄを備えている。
【００４８】
ケース本体２１に形成された供給口２１ａは、傾斜する部位に形成されていることから、中和剤が投入し易い受け口状を呈していて、取外し可能なキャップ２８にて覆蓋されている。中和剤は、キャップ２８を取外した状態の供給口２１ａからケース本体２１内に投入される。ケース本体２１が内蔵する中和剤は、ケース本体２１が半透明であることから目視可能であり、上方の目盛り２１ｂを基準に上限位置を確認し、かつ、下方の目盛り２１ｃを基準に下限位置を確認することができる。当該中和処理装置２０においては、中和剤として、炭酸カルシウムを主成分とする寒水石が採用される。中和剤は、中和処理中に漸次消費されて下限位置に達する。作業者は中和剤の下限位置を確認して、中和剤を供給口２１ａを通してケース本体２１内に投入して、上限位置まで補充する。
【００４９】
塩素成分除去装置３０ａ，３０ｂは一体に形成されているもので、図２、図３、図６および図７に示すように、長方形状の所定幅で所定厚みの箱状を呈するケース本体３１を共通の構成部材としている。ケース本体３１は、区画壁３１ａにて、左右の幅方向の中央部で左右に分割されていて、左右に分割された一対の収納部３１ａ1，３１ａ2を備えている。収納部３１ａ1，３１ａ2には、活性炭の粉末を成形材料として成形された無数の通気路を有する多孔質の活性炭構造体３２がそれぞれ収納されている。活性炭構造体３２は、塩素成分を吸着して除去すべく機能するもので、本発明における塩素成分除去剤に該当する。従って、以下では、当該活性炭構造体３２を塩素成分除去剤３２と称する。
【００５０】
ケース本体３１は、後側の固定側ケース３１ｂと前側の可動側ケース３１ｃとに分割されている。可動側ケース３１ｃは、固定側ケース３１ｂの前側開口部に取外し可能に嵌合されるもので、固定側ケース３１ｂの各収納部３１ａ1，３１ａ2には、各活性炭構造体３２がその前側開口部から抜き差し可能に挿入されている。固定側ケース３１ｂには、その下面側の後部に、一対の第１，第２接続孔３１ｄが設けられている。これらの接続孔３１ｄは、固定側ケース３１ｂ内における各塩素成分除去剤３２の後側空間部に開口している。また、ケース本体３１の左右の前方の部位には、ケース本体３１内の各収納部３１ａ1，３１ａ2に開口する一対の排気口３１ｅが設けられている。当該ケース本体３１においては、固定側ケース３１ａには、その下面の前側の部位にＬ字状の係合片３３が形成されており、かつ、その後端面には板状の係合片３４が形成されている。
【００５１】
塩素成分除去装置３０ａ，３０ｂは、第１貯留タンク１０ａおよび第２貯留タンク１０ｂ間に配置されている中和処理装置２０の上方にて配置されているが、配置するに際しては、各接続孔３１ｄを各ガス導入パイプ３５を介して中和処理装置２０の連結機構部２０ａにおける各第３連結管部２６ｃに連結する。その後、固定側ケース３１ｂの係合片３４をカバー４１の前側フランジ部に差込み、かつ、固定側ケース３１ｂの係合片３３を連結機構部２０ａにおける第１連結管部２６ａの頂部に設けた係合片２６ｅに係合して、中和処理装置２０上に載置する。これにより、塩素成分除去装置３０は、第１貯留タンク１０ａおよび第２貯留タンク１０ｂ間の中和処理装置２０の上方にて配置される。
【００５２】
当該塩素成分除去装置３０ａ，３０ｂにおいては、塩素成分除去剤３２として活性炭構造体を使用していて、活性炭の吸着作用によりガス中の塩素成分を除去するものである。塩素成分除去剤３２における塩素成分の吸着能は、使用により漸次低下するものであり、このため、塩素成分除去剤３２を定期的に交換する必要がある。当該塩素成分除去装置３０においては、上記した配置状態では、可動側ケース３１ｃは固定側ケース３１ｂに対して脱着可能であり、可動側ケース３１ｃを固定側ケース３１ｂから容易に取外せば、固体側ケース３１ｂの各収納部３１ａ1，３１ａ2に収納されている各塩素成分除去剤３２を抜き出し、新しい各塩素成分除去剤３２を挿入して収納することができる。すなわち、各塩素成分除去剤３２の交換作業が容易である。
【００５３】
このように構成した電解生成水の貯留装置Ａにおいては、第１貯留タンク１０ａ内の上方空間部に滞留する空気およびその他の成分が混在するガスは、連結機構部２０ａおよびガス導入パイプ３５を通って塩素成分除去装置３０のケース本体３１内の一方の収納部３１ａ1内に導入され、収納部３１ａ1に収納されている構造体である塩素成分除去剤３２の無数の通気孔を透過して、ケース本体３１の一方の排気孔３１ｅから大気に放出されることになる。
【００５４】
この場合、第１貯留タンク１０ａ内に電解生成酸性水が貯留されている場合には、第１貯留タンク１０ａ内の上方空間部に滞留するガスは塩素成分を含有するが、塩素成分を含有するガスは、塩素成分除去剤３２を透過する間に塩素成分を除去される。このため、当該貯留装置Ａによれば、第１貯留タンク１０ａ内で発生する塩素成分は大気に放出されることはなく、塩素成分の大気中への放出に起因する周囲の環境に及ぼす影響を確実に防止することができる。
【００５５】
また、この場合、第２貯留タンク１０ｂ内には電解生成アルカリ性水が貯留されていて、第２貯留タンク１０ｂ内の上方空間部に滞留するガスには塩素成分は含有していない。当該貯留装置Ａにおいては、当該ガスも、連結機構部２０ａおよびガス導入パイプ３５を通ってケース本体３１内の他方の収納部３１ａ2内に導入され、収納部３１ａ2に収納されている構造体である塩素成分除去剤３２の無数の通気孔を透過して、ケース本体３１の他方の排気孔３１ｅから大気に放出されることになる。しかしながら、塩素成分除去剤３２は、このようなガスの透過によっては、機能および構造に対して何等の悪影響も受けることはない。
【００５６】
なお、当該貯留装置Ａにおいては、第１貯留タンク１０ａが電解生成アルカリ性水を貯留するタンクに変更され、かつ、第２貯留タンク１０ｂが電解生成酸性水を貯留するタンクに変更された場合には、各塩素成分除去装置３０ａ，３０ｂは上記とは変更して同様に機能する。
【００５７】
このような機能を有する当該貯留装置Ａにおいては、塩素成分除去装置３０ａ，３０ｂを一体として、第１貯留タンク１０ａと第２貯留タンク１０ｂ間の下方部に配置されている中和処理装置２０の上方側空間部に配置しているものである。当該空間部は、塩素成分除去装置を有しない当該形式の既存の貯留装置においては無用の空間部であって、当該空間部に塩素成分除去装置３０ａ，３０ｂを配置しても、当該形式の既存の貯留装置に比較しても全体の大きさが変わることがなく、塩素成分除去装置３０ａ，３０ｂを備える当該貯留装置Ａをコンパクトに構成することができる。
【００５８】
また、塩素成分除去装置３０ａ，３０ｂの当該空間部への配置では、第１貯留タンク１０ａに関わる塩素成分除去装置３０ａは同貯留タンク１０ａ内の上方空間部であるガス滞留部に近接して位置し、かつ、第２貯留タンク１０ｂに関わる塩素成分除去装置３０ｂは同貯留タンク１０ｂ内の上方空間部であるガス滞留部に近接して位置する。このため、これら各貯留タンク１０ａ，１０ｂの各ガス滞留部に滞留するガスの、各塩素成分除去装置３０ａ，３０ｂ内への導入流路は簡単になって、この面からも、当該貯留装置Ａをコンパクトに構成することができる。
【００５９】
また、当該貯留装置Ａにおいて、第１貯留タンク１０ａ、中和処理装置２０および塩素成分除去装置３０ａの３者の連結と、第２貯留タンク１０ｂ、中和処理装置２０および塩素成分除去装置３０ｂの３者の連結と同時に構成するために、特殊な構造の連結機構部２０ａを採用している。当該連結機構部２０ａｂにより構成される全ての構成部品の連結構造は、極めてコンパクトであり、このため、当該貯留装置Ａの全体の構成は、一層コンパクトなものとなる。
【００６０】
このように、当該貯留装置Ａにおいては、中和処理装置２０を貯留タンク１０ａ，１０ｂ間にてその側部に並列配置して、貯留タンク１０ａ，１０ｂとは、その内部の余剰の電解生成水を導出するオーバフロー流路を介して直接連結する構成を採っている。このため、中和処理装置２０を貯留タンク１０ａ，１０ｂに連通させる連結構造が簡単かつ小型でよく、結果として、中和処理装置２０を貯留タンク１０ａ，１０ｂにコンパクトに一体化することができる。
【００６１】
また、当該一体化構造においては、オーバフロー流路を構成する導入パイプ２２の先端部位２２ａが中和処理装置２０内の中和剤の下方にて水平状態に延在していることから、導入される電解生成水の中和処理装置２０内への流出を、中和剤の下方にて拡開した状態に行うことができる。電解生成水のかかる流出状態は、電解生成水の中和剤に対する接触効率を高めて、中和処理装置２０における中和処理能力を向上させることができる。このため、所要の中和処理能力を有する中和処理装置をコンパクトに構成することができ、コンパクトな中和処理装置２０を採用することにより、中和処理装置２０を貯留タンク１０ａ，１０ｂにコンパクトに一体化することができて、一層コンパクトな貯留装置を構成することができる。
【００６２】
当該貯留装置Ａにおいて、オーバフロー流路を構成する導入パイプ２２における中和処理装置２０内の中和剤の下方にて水平状態に延在する先端部位２２ａに、下流側から上流側に沿って複数の流出口２２ｂ1〜２２ｂ3を備える構成として、流出口２２ｂ1〜２２ｂ3の大きさを上流側から下流側に位置する流出口ほど大きく形成している。このため、各流出口２２ｂ1〜２２ｂ3からの電解生成酸性水の流出量をほぼ均等にすることができる。
【００６３】
また、当該貯留装置Ａにおいて、中和処理装置２０を、内蔵する中和剤が外部から目視可能な構成として、中和剤の消費量を外部から容易に確認できるようにしている。このため、中和剤の補給のタイミングを的確に認識することができる。その上、内蔵する中和剤を外部から目視可能な部位または同部位に近接する部位に、内蔵する中和剤の上限位置および下限位置を視認できる上下一対の目盛り２１ｂ，２１ｃを備える構成としているので、中和剤の補給のタイミングを的確に認識し、かつ、的確な量の中和剤を補給することができる。中和剤の補給には、中和処理装置２０に設けた供給口２１ａを利用することができるが、供給口２１ａが受け口状を呈していることから、中和剤を供給口２１ａを通して投入する補給が極めて容易になる。
【００６４】
また、当該貯留装置Ａにおいて、中和処理装置２０が有する中和処理済み水の排出パイプ２３を中和処理装置２０内の中和剤の上限位置より上方の部位に開口させて、貯留タンク１０ａ，１０ｂの側部膨出部位１１ｄにおける下方の部位に設けた略Ｖ字形状のガイド部１１ｅに案内されて排出側に延びる構成としている。かかる構成を採れば、中和処理装置２０の排出パイプ２３における貯留タンク１０ａ，１０ｂの側部に沿う部位を、Ｖ形状に延びるトラップ構造に構成することができる。当該トラップ構造を構成するための空間部は、貯留タンク１０ａ，１０ｂの側部の限られた空間部であって、当該トラップ構造を構成することによって、当該貯留装置Ａのコンパクト化に及ぼす影響を大きく抑制することができる。
【００６５】
当該貯留装置Ａにおいて、中和処理装置２０のケース本体２１内に中和剤を投入することができるように、ケース本体２１の前側壁部に供給口２１ａを設けている。このため、当該中和処理装置２０においては、供給口２１ａから投入された中和剤が、ケース本体２１の後側壁部にて開口する排水パイプ２３に直接侵入し、排水パイプ２３を通って流出するおそれがある。中和剤のこのような無駄な消費を防止するため、中和処理装置２０では、ケース本体２１の上方後部に形成した肩部を形成する起立壁部を、供給口２１ａと排水パイプ２３間に介在させるとともに、第１連通パイプ２５を、排水パイプ２３の前方にてその開口部に対向して位置させている。かかる構成により、中和処理装置２の供給口２１ａから投入される中和剤は、起立壁部および第１連通パイプ２５によって、排水パイプ２３への直接の侵入を阻止され、排水パイプ２３を通って流出することによる無駄な消費を防止することがでいる。
【００６６】
図８には、中和剤の無駄な消費を防止する防止手段を備えた中和処理装置を構成する、ケース本体２１とは異なる構成のケース本体２９を示している。当該ケース本体２９は、ケース本体２１とは類似形状のものであり、ケース本体２９を構成する前側壁部２９ａの上方傾斜部に供給口２９ｂが形成され、かつ、ケース本体２９を構成する後側壁部２９ｃ上下方向の略中央部には、ケース本体２９と一体に成形された排水パイプ２３の開口部２３ａが位置している。また、ケース本体２９の上方後部に形成した肩部の底壁部２９ｄには、第１連通パイプ２５を貫通して取付けるための取付孔２９ｅが形成されている。
【００６７】
当該ケース本体２９においては、上方後部の肩部を構成する起立壁部２９ｆが、供給口２９ｂと排水パイプ２３の開口部２３ａの中間部に延びていて、起立壁部２９ｆは供給口２９ｂと排水パイプ２３の開口部２３ａ間に介在している。また、第１連通パイプ２５は、取付孔２９ｅに貫通した状態で取付けられた状態では、排水パイプ２３の開口部２３ａの前側にて、開口部２３ａと対向して位置している。
【００６８】
かかる構成のケース本体２９を主構成部材とする中和処理装置２０においては、中和剤は、供給口２９ｂと介してケース本体２９内に、図示矢印で模式的に示すように投入されれる。また、中和剤の投入過程では、図示の２点鎖線で模式的に示すように盛り上った状態を呈する。中和剤のかかる投入状態では、中和剤は、ケース本体２９の起立壁部２９ｆおよび、第１連通パイプ２５によって、排水パイプ２３の開口部２３ａへの直接的な侵入が規制される。この結果、中和剤の排水パイプ２３を通って流出することによる無駄な消費が防止される。
【図面の簡単な説明】
【００６９】
【図１】本発明の一実施形態に係る貯留装置の概略的構成図である。
【図２】同貯留装置を前側からみた斜視図である。
【図３】同貯留装置を左右の中央部で縦断した状態の一側からみた斜視図である。
【図４】同貯留装置を構成する第１貯留タンクの一側からみた斜視図である。
【図５】同貯留装置を構成する中和処理装置の一側からみた斜視図である。
【図６】同貯留装置を構成する塩素成分除去装置の一側下方からみた斜視図である。
【図７】同塩素成分除去装置における一方の塩素成分除去装置を他方の塩素成分除去装置側から透視してみた斜視図である。
【図８】同中和処理装置を構成するケース本体の変形例を示す縦断面図である。
【符号の説明】
【００７０】
Ａ…貯留装置、Ｂ…電解水生成装置、ｂ1…電解槽、ｂ2…チェンジバルブ、Ｃ…シンクの下方空間部、１０ａ…第１貯留タンク、１０ｂ…第２貯留タンク、１１…タンク本体、１１ａ…供給孔、１１ｂ…流出孔、１１ｃ…ドレン孔、１１ｄ…膨出部位、１１ｅ…ガイド部、１２…供給管路、１３…供給ポンプ、１４…タンク本体、１４ａ…ドレン孔、１５…供給管路、１６…供給ポンプ、１７…オーバフローパイプ、２０…中和処理装置、２０ａ…連結機構部、２１…ケース本体、２１ａ…供給口、２１ｂ，２１ｃ…目盛り、２１ｄ…ドレン孔、２２…導入パイプ、２２ａ…先端部位、２２ｂ1〜２２ｂ3…流出口、２３…排水パイプ、２３ａ…開口部、２４…ケース、２５…第１連通パイプ、２６…連結具、２６ａ…第１連結管部、２６ｂ…第２連結管部、２６ｃ…第３連結管部、２６ｄ…区画壁、２６ｅ…係合片、２７…第２連通パイプ、２８…キャップ、２９…ケース本体、２９ａ…前側壁部、２９ｂ…供給口、２９ｃ…後側壁部、底壁部、２９ｅ…取付孔、２９ｆ…起立壁、３０ａ，３０ｂ…塩素成分除去装置、３１…ケース本体、３１ａ…区画壁、３１ａ1，３１ａ2…収納部、３１ｂ…固定側ケース、３１ｃ…可動側ケース、３１ｄ…接続孔、３１ｅ…排気口、３２…活性炭構造体（塩素成分除去剤）、３３，３４…係合片、３５…ガス導入パイプ、４１…カバー、４２…切替弁、４３…供給パイプ。
【図１】
2005066589.tif 000003
【図２】
2005066589.tif 000004
【図３】
2005066589.tif 000005
【図４】
2005066589.tif 000006
【図５】
2005066589.tif 000007
【図６】
2005066589.tif 000008
【図７】
2005066589.tif 000009
【図８】
2005066589.tif 000010